(57)【要約】【課題】ミラー収納キャビネットの所定の収納スペースにおいて、ヘアブラシ、チューブ式の各種化粧品などのように背が高くて細身の自立し難い収納物やヘアドライヤーのように自立し難い形態を有する収納物を安定的に収納することのできる洗面化粧台。【解決手段】洗面ボールの上方に配置されたミラー収納キャビネットを備えた洗面化粧台。ミラー収納キャビネットの所定の収納スペース（４４）において、鉛直方向に沿って延びる溝（３１）が背板（４４ａ）に形成され、収納物の落下を防止するためのガードバー（３２）が水平方向に沿って延びるように一対の側板（４４ｂ）の間に設けられている。所定の収納スペースを仕切るための鉛直パーティーション（３３）が、溝およびガードバーに着脱自在に取り付けられている。【選択図】　図３
2004057624.tif 000002
【特許請求の範囲】
【請求項１】
洗面ボールの上方に配置されたミラー収納キャビネットを備えた洗面化粧台において、
前記ミラー収納キャビネットの所定の収納スペースにおいて、鉛直方向に沿って延びる溝が背板に形成され、収納物の落下を防止するためのガードバーが水平方向に沿って延びるように一対の側板の間に設けられ、
前記所定の収納スペースを仕切るための鉛直パーティーションが、前記溝および前記ガードバーに着脱自在に取り付けられていることを特徴とする洗面化粧台。
【請求項２】
前記溝は、前記背板から前方に突出した一対の小壁部の間に形成されていることを特徴とする請求項１に記載の洗面化粧台。
【請求項３】
前記溝および前記ガードバーに取り付けられた状態において、前記鉛直パーティーションの上端面が前記ガードバーよりも実質的に高いことを特徴とする請求項１または２に記載の洗面化粧台。
【請求項４】
前記背板には所定の間隔を隔てて複数の溝が形成されていることを特徴とする請求項１乃至３のいずれか１項に記載の洗面化粧台。
【請求項５】
前記複数の溝に選択的に取付け可能な複数の鉛直パーティーションを備えていることを特徴とする請求項４に記載の洗面化粧台。
【発明の詳細な説明】
【０００１】
【発明の属する技術分野】
本発明は、洗面化粧台に関し、特にミラー収納キャビネットを備えた洗面化粧台に関するものである。
【０００２】
【従来の技術】
従来、洗面ボールの上方に配置されたミラー収納キャビネットを備えた洗面化粧台が知られている。ミラー収納キャビネットでは、ミラー扉の裏側に複数の収納スペースが確保されている。
【０００３】
【発明が解決しようとする課題】
従来の洗面化粧台では、ミラー収納キャビネットの収納スペースにおいて、ヘアブラシ、チューブ式の各種化粧品などのように背が高くて細身の自立し難い収納物やヘアドライヤーのように自立し難い形態を有する収納物を収納する場合、大きく間隔を隔てた一対の側板の間で横方向に転倒し易く安定的に収納することが困難であった。
【０００４】
本発明は、前述の課題に鑑みてなされたものであり、ミラー収納キャビネットの所定の収納スペースにおいて、ヘアブラシ、チューブ式の各種化粧品などのように背が高くて細身の自立し難い収納物やヘアドライヤーのように自立し難い形態を有する収納物を安定的に収納することのできる洗面化粧台を提供することを目的とする。
【０００５】
【課題を解決するための手段】
前記課題を解決するために、本発明では、洗面ボールの上方に配置されたミラー収納キャビネットを備えた洗面化粧台において、
前記ミラー収納キャビネットの所定の収納スペースにおいて、鉛直方向に沿って延びる溝が背板に形成され、収納物の落下を防止するためのガードバーが水平方向に沿って延びるように一対の側板の間に設けられ、
前記所定の収納スペースを仕切るための鉛直パーティーションが、前記溝および前記ガードバーに着脱自在に取り付けられていることを特徴とする洗面化粧台を提供する。
【０００６】
本発明の好ましい態様によれば、前記溝は、前記背板から前方に突出した一対の小壁部の間に形成されている。また、前記溝および前記ガードバーに取り付けられた状態において、前記鉛直パーティーションの上端面が前記ガードバーよりも実質的に高いことが好ましい。さらに、前記背板には、所定の間隔を隔てて複数の溝が形成されていることが好ましい。この場合、前記複数の溝に選択的に取付け可能な複数の鉛直パーティーションを備えていることが好ましい。
【０００７】
【発明の実施の形態】
本発明では、ミラー収納キャビネットの所定の収納スペースにおいて、鉛直方向に沿って延びる溝が背板に形成され、収納物の落下を防止するためのガードバーが水平方向に沿って延びるように一対の側板の間に設けられている。そして、鉛直パーティーションが溝およびガードバーに着脱自在に取り付けられている。
【０００８】
したがって、本発明では、鉛直パーティーションの作用により収納スペースの幅寸法を必要に応じて小さく設定することができるので、ヘアブラシ、チューブ式の各種化粧品などのように背が高くて細身の自立し難い収納物やヘアドライヤーのように自立し難い形態を有する収納物を収納した場合、鉛直パーティーションと側板との間または一対の鉛直パーティーションの間で収納物が横方向に転倒し難く安定的に収納することができる。
【０００９】
なお、本発明では、溝が背板から前方に突出した一対の小壁部の間に形成されていることが好ましい。この構成により、鉛直パーティーションの溝への係合動作が容易になり、ひいては鉛直パーティーションの取付けおよび取外しが容易になる。
【００１０】
また、本発明では、溝およびガードバーに取り付けられた状態において、鉛直パーティーションの上端面がガードバーよりも実質的に高いことが好ましい。この構成により、鉛直パーティーションで仕切られた収納スペースにおいて収納物を安定的に収納することができるだけでなく、収納スペースへの収納物の導入および収納スペースからの収納物の取出しが容易になる。
【００１１】
さらに、本発明では、背板に所定の間隔を隔てて複数の溝が形成されていることが好ましい。また、複数の溝に選択的に取付け可能な複数の鉛直パーティーションを備えていることが好ましい。この構成により、収納物に応じて収納スペースの幅寸法を適宜調整することができるので、収納物をさらに安定的に収納することができる。
【００１２】
本発明の実施形態を、添付図面に基づいて説明する。
図１は、本発明の実施形態にかかる洗面化粧台の構成を概略的に示す図であって、（ａ）は正面図であり、（ｂ）は側面図である。また、図２は、ミラー収納キャビネットにおいてミラー扉を開いた状態を示す図である。
【００１３】
さらに、図３は、ミラー収納キャビネットの所定収納スペースの構成および作用を説明する図であって、（ａ）は所定収納スペースの正面図であり、（ｂ）は線Ａ−Ａに沿った断面図であり、（ｃ）は鉛直パーティーションの構成を示す図である。本実施形態では、三面鏡を構成するように配置された３つのミラー扉を有するミラー収納キャビネットを備えた洗面化粧台に対して本発明を適用している。
【００１４】
図１を参照すると、本実施形態の洗面化粧台１は、床に載置されるベースキャビネット２と、ベースキャビネット２の上方に設けられた洗面ボール３と、洗面ボール３の上方に設けられたミラー収納キャビネット４と、ミラー収納キャビネット４の上方に設けられた照明部５とにより構成されている。ミラー収納キャビネット４は、三面鏡を構成するように配置された３つのミラー扉４ａ〜４ｃを備えている。ミラー収納キャビネット４の本体部分は、たとえばＨＩＰＳ（ハイ・インパクト・ポリスチレン）のような適当な樹脂により一体成形されている。
【００１５】
ここで、両側のミラー扉４ａおよび４ｂは幅寸法が比較的小さく、中央のミラー扉４ｃは幅寸法が比較的大きく設定されている。図２を参照すると、両側ミラー扉４ａおよび４ｂの裏側には、収納スペース４１および４２がそれぞれ設けられている。収納スペース４１および４２は、従来技術にしたがって、一対の側板に着脱自在な複数（図２では３つ）の水平パーティーション４１ａおよび４２ａによって仕切られている。
【００１６】
一方、中央ミラー扉４ｃの裏側には、上段収納スペース４３、中段収納スペース４４、および下段収納スペース４５が設けられている。本実施形態では、図３に示すように、中段収納スペース４４において、鉛直方向に沿って延びる複数（図３では７つ）の溝３１が背板４４ａに形成されている。ここで、溝３１は、背板４４ａから前方に突出した一対の小壁部３１ａの間に形成されている。
【００１７】
また、収納物の落下を防止するためのガードバー３２が水平方向に沿って延びるように一対の側板４４ｂの間に設けられている。そして、中段収納スペース４４を仕切るための鉛直パーティーション３３が、溝３１およびガードバー３２に着脱自在に取り付けられるように構成されている。すなわち、鉛直パーティーション３３は、溝３１に係合するように形成された薄肉状の第１係合部３３ａと、ガードバー３２に係合するように形成されたフック状の第２係合部３３ｂとを有する。
【００１８】
図３（ｂ）において破線で示すように溝３１およびガードバー３２に取り付けられた状態において、鉛直パーティーション３３の上端面３３ｃがガードバー３２よりも実質的に高いように設定されている。また、本実施形態では、溝３１およびガードバー３２に着脱自在に取り付け可能な鉛直パーティーション３３が複数個備えられている。
【００１９】
以上のように、本実施形態では、ミラー収納キャビネット４の中段収納スペース４４において、鉛直方向に沿って延びる溝３１が背板４４ａに形成され、収納物の落下を防止するためのガードバー３２が水平方向に沿って延びるように一対の側板４４ｂの間に設けられ、鉛直パーティーション３３が溝３１およびガードバー３２に着脱自在に取り付けられている。
【００２０】
したがって、本実施形態では、鉛直パーティーション３３の作用により中段収納スペース４４の幅寸法を必要に応じて小さく設定することができるので、ヘアブラシ、チューブ式の各種化粧品などのように背が高くて細身の自立し難い収納物やヘアドライヤーのように自立し難い形態を有する収納物を収納した場合、鉛直パーティーション３３と側板４４ｂとの間（または複数の鉛直パーティーション３３がある場合には一対の鉛直パーティーション３３の間）で収納物が横方向に転倒し難く安定的に収納することができる。
【００２１】
また、本実施形態では、溝３１が背板４４ａから前方に突出した一対の小壁部３１ａの間に形成されているので、鉛直パーティーション３３の溝３１への係合動作が容易になり、ひいては鉛直パーティーション３３の取付けおよび取外しが容易になる。
【００２２】
さらに、本実施形態では、溝３１およびガードバー３２に取り付けられた状態において、鉛直パーティーション３３の上端面３３ｃがガードバー３２よりも実質的に高くなるように設定されているので、鉛直パーティーション３３で仕切られた収納スペースにおいて収納物を安定的に収納することができるだけでなく、収納スペースへの収納物の導入および収納スペースからの収納物の取出しが容易になる。
【００２３】
また、本実施形態では、背板４４ａに所定の間隔を隔てて複数の溝３１が形成され、複数の溝３１に選択的に取付け可能な複数の鉛直パーティーション３３を備えているので、収納物に応じて収納スペースの幅寸法を適宜調整することができ、ひいては収納物をさらに安定的に収納することができる。
【００２４】
なお、上述の実施形態では、中段収納スペース４４に対して本発明を適用しているが、これに限定されることなく、ミラー収納キャビネットの任意の収納スペースに対して本発明を適用することもできる。また、上述の実施形態では、三面鏡を構成するように配置された３つのミラー扉を有するミラー収納キャビネットを備えた洗面化粧台に対して本発明を適用しているが、これに限定されることなく、ミラー収納キャビネットを備えた一般の洗面化粧台に対して本発明を適用することもできる。
【００２５】
【発明の効果】
以上説明したように、本発明では、所定の収納スペースにおいて、鉛直方向に沿って延びる溝が背板に形成され、収納物の落下を防止するためのガードバーが一対の側板の間に設けられ、鉛直パーティーションが溝およびガードバーに着脱自在に取り付けられている。その結果、鉛直パーティーションの作用により収納スペースの幅寸法を必要に応じて小さく設定することができ、ヘアブラシ、チューブ式の各種化粧品などのように背が高くて細身の自立し難い収納物やヘアドライヤーのように自立し難い形態を有する収納物を収納した場合、鉛直パーティーションと側板との間または一対の鉛直パーティーションの間で収納物が横方向に転倒し難く安定的に収納することができる。
【００２６】
なお、本発明では、背板から前方に突出した一対の小壁部の間に溝を形成する構成を採用することにより、鉛直パーティーションの溝への係合動作が容易になり、ひいては鉛直パーティーションの取付けおよび取外しが容易になる。また、本発明では、溝およびガードバーに取り付けられた状態において、鉛直パーティーションの上端面がガードバーよりも実質的に高くなるように設定することにより、鉛直パーティーションで仕切られた収納スペースにおいて収納物を安定的に収納することができるだけでなく、収納スペースへの収納物の導入および収納スペースからの収納物の取出しが容易になる。
【００２７】
さらに、本発明では、所定の間隔を隔てて複数の溝が形成され、複数の溝に選択的に取付け可能な複数の鉛直パーティーションを備える構成を採用することにより、収納物に応じて収納スペースの幅寸法を適宜調整することができ、収納物をさらに安定的に収納することができる。
【図面の簡単な説明】
【図１】本発明の実施形態にかかる洗面化粧台の構成を概略的に示す図であって、（ａ）は正面図であり、（ｂ）は側面図である。
【図２】ミラー収納キャビネットにおいてミラー扉を開いた状態を示す図である。
【図３】ミラー収納キャビネットの所定収納スペースの構成および作用を説明する図であって、（ａ）は所定収納スペースの正面図であり、（ｂ）は線Ａ−Ａに沿った断面図であり、（ｃ）は鉛直パーティーションの構成を示す図である。
【符号の説明】
１　洗面化粧台
２　ベースキャビネット
３　洗面ボール
４　ミラー収納キャビネット
４ａ〜４ｃ　ミラー扉
５　照明部
３１　溝
３２　ガードバー
３３　鉛直パーティーション
３３ａ，３３ｂ　係合部
４１〜４５　収納スペース
【図１】
2004057624.tif 000003
【図２】
2004057624.tif 000004
【図３】
2004057624.tif 000005